(57)【要約】【課題】  滑り止めの部位に水がたまりにくい階段用床材を提供する。【解決手段】  階段２の踏み面３に敷き設可能なると共に長尺体より分割形成してなる踏み込み部材１０と、該踏み込み部材１０同様階段２の踏み面３の蹴上げ５側に敷き設可能なるシート部材４と、階段２の蹴上げ５に支持されてなる蹴上げ部材７と、前記シート部材４の表面に形成された収納部８に係合支持されてなる滑り止め部材９とが、ウエルダー溶着により一体的に形成されてなり、前記滑り止め部材９の表面には、該滑り止め部材９を前記シート部材４に溶着させる際に、ウエルダー機器により通水路６が形成されてなる。【選択図】        図１
2005171636.tif 000002
【特許請求の範囲】
【請求項１】
階段の踏み面に敷き設可能なると共に長尺体より分割形成してなる踏み込み部材と、該踏み込み部材同様階段の踏み面の蹴上げ側に敷き設可能なるシート部材と、階段の蹴上げに支持されてなる蹴上げ部材と、前記シート部材の表面に形成された収納部に係合支持されてなる滑り止め部材とが、ウエルダー溶着により一体的に形成されてなり、
前記滑り止め部材の表面には、該滑り止め部材を前記シート部材に溶着させる際に、ウエルダー機器により通水路が形成されてなることを特徴とする階段用床材。
【請求項２】
請求項１に記載の階段用床材であって、
前記シート部材の表面には、前記シート部材の端部と前記踏み込み部材の端部とをそれぞれ係合させてそれぞれ溶着可能なると共に前記通水路の底部と同面状の頭部を有する支持部と、前記滑り止め部材の表面と同面状である第２滑り止め部材とが一体に形成されてなることを特徴とする階段用床材。
【請求項３】
請求項１又は請求項２に記載の階段用床材であって、
前記通水路は、前記滑り止め部材の表面と、前記第２滑り止め部材の表面とに連続的に形成されてなることを特徴とする階段用床材。
【発明の詳細な説明】
【技術分野】
【０００１】
この発明は、階段に貼り付けて使用する階段用床材に関する。
【背景技術】
【０００２】
従来より、階段の昇降時の騒音軽減と防滑性を高めるために、階段の踏み面から蹴上げの一部にかけて合成樹脂製の階段用床材が貼り付けられている。この階段用床材としては、踏み面に貼られる踏み込み部材と、蹴上げに貼られる蹴上げ部材とを一体形成した構造になっている。踏み込み部材と蹴上げ部材とは、予め約直角に折り曲げ形成されていて、階段への貼付け作業を容易にしている（例えば、特許文献１。）。
【特許文献１】特開平９−１５１５８７号公報
【発明の開示】
【発明が解決しようとする課題】
【０００３】
しかしながら、このような従来の階段用床材にあっては、踏み込み部材から蹴上げ部材にかけての折り曲げ部に滑り止めのための縦リブが押し出し成形により連続形成されてなるが、該縦リブの形成されている部位に水の逃げ部がないため、水がたてリブの部分にたまるおそれがある。
【０００４】
この発明は、このような従来の技術に着目してなされたものであり、滑り止めの部位に水がたまりにくい階段用床材を提供するものである。
【課題を解決するための手段】
【０００５】
請求項１に記載の発明は、階段の踏み面に敷き設可能なると共に長尺体より分割形成してなる踏み込み部材と、該踏み込み部材同様階段の踏み面の蹴上げ側に敷き設可能なるシート部材と、階段の蹴上げに支持されてなる蹴上げ部材と、前記シート部材の表面に形成された収納部に係合支持されてなる滑り止め部材とが、ウエルダー溶着により一体的に形成されてなり、前記滑り止め部材の表面には、該滑り止め部材を前記シート部材に溶着させる際に、ウエルダー機器により通水路が形成されてなることを特徴とする。
【０００６】
請求項２に記載の発明は、請求項１に記載の階段用床材であって、前記シート部材の表面には、前記シート部材の端部と前記踏み込み部材の端部とをそれぞれ係合させてそれぞれ溶着可能なると共に前記通水路の底部と同面状の頭部を有する支持部と、前記滑り止め部材の表面と同面状である第２滑り止め部材とが一体に形成されてなることを特徴とする。
【０００７】
請求項３に記載の発明は、請求項１又は請求項２に記載の階段用床材であって、前記通水路は、前記滑り止め部材の表面と、前記第２滑り止め部材の表面とに連続的に形成されてなることを特徴とする。
【発明の効果】
【０００８】
請求項１に記載の発明によれば、滑り止め部材の表面には、該滑り止め部材を前記シート部材に溶着させる際に、ウエルダー機器により通水路が形成されてなるため、踏み込み部材や滑り止め部材に水がかかっても、通水路から水が流れ落ちることが可能であり、滑り止め部材に水がたまりにくい。また、踏み込み部材は、長尺体より分割形成してなるため、サイズの融通性があり、型費の大幅な削減が図れるし、様々な色合わせができる。また、踏み込み部材とシート部材と蹴上げ部材とが、ウエルダー溶着により一体的に形成されてなるため、成形が短時間ですむことになり、効率性能が向上する。
【０００９】
請求項２に記載の発明によれば、シート部材の表面には、前記シート部材の端部と前記踏み込み部材の端部とをそれぞれ係合させてそれぞれ溶着可能であるため、作業の効率が著しく向上する。また、支持部と第２滑り止め部材とが、前記通水路の底部と同面状であるため、水の滞留がなく、確実に水が排除されることになる。
【００１０】
請求項３に記載の発明によれば、前記通水路は、前記滑り止め部材の表面と、前記第２滑り止め部材の表面とに連続的に形成されてなるため、水の滞留がなく、確実に水が排除されることになる。
【発明を実施するための最良の形態】
【００１１】
滑り止めの部位に水がたまりにくい階段用床材を提供する、という目的を、階段の踏み面に敷き設可能なると共に長尺体より分割形成してなる踏み込み部材と、該踏み込み部材同様階段の踏み面の蹴上げ側に敷き設可能なるシート部材と、階段の蹴上げに支持されてなる蹴上げ部材と、前記シート部材の表面に形成された収納部に係合支持されてなる滑り止め部材とが、ウエルダー溶着により一体的に形成されてなり、前記滑り止め部材の表面には、該滑り止め部材を前記シート部材に溶着させる際に、ウエルダー機器により通水路が形成されてなることで、実現した。
【実施例１】
【００１２】
以下、この発明の好適な実施例を図１〜図２に基づいて説明する。
【００１３】
まず、この実施例に係る階段用床材１の構造を、図１に基づいて説明する。この階段用床材１は、階段２の踏み面３の一部に貼り付けられるシート部材４と、階段２の蹴上げ５を覆う蹴上げ部材７と、前記シート部材４の収納部８に保持されてなる滑り止め部材９と、階段２の踏み面３に敷き設可能なると共に長尺体より裁断或いは抜いたものにより分割形成してなり且つ前記シート部材４の支持部４ａの凹部４ｂ内に差し込まれると共に該凹部４ｂ内で超音波溶着、高周波溶着、振動溶着などにより支持される踏み込み部材１０と、前記シート部材４から前記蹴上げ部材７への曲がり部に形成されてなる第２滑り止め部材１２とより形成されてなる。該踏み込み部材１０は、前記シート部材４に支持されると共に階段２の踏み面３に貼り付けられるカーペット又は合成樹脂板よりなる。
【００１４】
シート部材４の一般面は、厚さ４．３ｍｍの軟質ポリ塩化ビニル製で、前記支持部４ａの「頭部」である表面４ｃには、前記通水路６の底部と同面状であり、防滑性を得るために幅１ミリメートルの凹模様１１が複数施されている。前記シート部材４としては、前記したポリ塩化ビニル等のビニル系樹脂の他に、ポリエチレン等のオレフィン系樹脂やナイロン等のアミド系樹脂等の合成樹脂を単層又は積層構造で用いることができる。また、合成樹脂に炭酸カルシウム等の無機質充填剤を配合しても良い。更に、合成樹脂の層に麻布等を積層しても良い。
【００１５】
蹴上げ部材７は、階段２の踏み面３から蹴上げ５にかけてシート部材４に対して下側に折り曲げられた断面Ｌ型の硬質ポリ塩化ビニル製である。この蹴上げ部材７としては、シート部材４と同じで、超音波溶着、高周波溶着、振動溶着などが可能な材質を用いることができ、前記シート部材４と略同様の合成樹脂を使用することができる。但し、一般に、蹴上げ部材７の方を硬質にするために、無機質充填剤の配合量を増している。符号２２は、蹴上げ部材７の裏面７ｂに二個突設させた糊止めであって、階段２から垂れ下がる作業用の糊が垂れ下がるのを防止している。
【００１６】
前記シート部材４と、前記蹴上げ部材７と、前記滑り止め部材９とが、ウエルダー溶着により一体的に形成されてなり、前記滑り止め部材９の表面には、該滑り止め部材９を前記蹴上げ部材７に溶着させる際に、図示しないウエルダー機器により、前記滑り止め部材９の表面と、前記第２滑り止め部材１２の表面とに連続的な通水路６が形成されてなると共に前記シート部材４の支持部４ａより突出した突出部１３が形成され、該突出部１３には、凹部１３ａが適宜形成されてなる。
【００１７】
以上により、この実施例によれば、滑り止め部材９の表面には、該滑り止め部材９を前記シート部材４に溶着させる際に、ウエルダー機器により通水路６が形成されてなるため、踏み込み部材１０や滑り止め部材９に水１４がかかっても、通水路６から水１４が流れ落ちることが可能であり、滑り止め部材９に水１４がたまりにくい。また、踏み込み部材１０は、長尺体より分割形成してなるため、サイズの融通性があり、型費の大幅な削減が図れるし、様々な色合わせができる。また、踏み込み部材１０とシート部材４と蹴上げ部材７とが、ウエルダー溶着により一体的に形成されてなるため、成形が短時間ですむことになり、効率性能が向上する。
【００１８】
シート部材４の表面４ｃには、前記シート部材４の端部と前記踏み込み部材１０の端部とを、支持部４ａで、それぞれ係合させてそれぞれ溶着可能であるため、作業の効率が著しく向上する。また、支持部４ａの表面４ｃと第２滑り止め部材１２とが、前記通水路６の底部と同面状であるため、水１４の滞留がなく、確実に水１４が排除されることになる。
【００１９】
前記通水路６は、前記滑り止め部材９の表面と、前記第２滑り止め部材１２の表面とに連続的に形成されてなるため、水１４の滞留がなく、確実に水１４が排除されることになる。
【００２０】
前記滑り止め部材９は、前記シート部材４とは別材であるが、該滑り止め部材９の材質、突出部１３の形状などの選択の自由度が増し、シート部材４の収納部８に保持させるだけでよいので、劣化した場合の交換性能も高いものとなる。
【産業上の利用可能性】
【００２１】
尚、以上の説明では、前記滑り止め部材９の突出部１３には、図１に示すような凹部１３ａが形成されているが、これに限定されず、平滑面でも、材質により撓み易くしてあれば、昇降する人の踏力により凹み、滑るのが防止できる。こうしたシート部材４の裏面に、両面テープ或いはファスナーにより収納部８に固着しても良いし、単に係合しても良い。いずれにしても、該滑り止め部材９の材質、表面の形状などの選択の自由度が増し、シート部材４の収納部８に保持させるだけでよいので、滑り止め部材９が劣化した場合の交換性能も高いものとなる。
【図面の簡単な説明】
【００２２】
【図１】この発明の一実施形態に係る階段に貼り付けられた階段用床材を示す断面図。
【図２】図１の斜視図。
【符号の説明】
【００２３】
１  階段用床材
２  階段
３  階段の踏み面
４  シート部材
４ａ  シート部材の支持部
４ｂ  シート部材の凹部
４ｃ  シート部材の表面（頭部）
５  階段の蹴上げ
６  通水路
７  蹴上げ部材
８  シート部材の収納部
９  滑り止め部材
１０  踏み込み部材
【図１】
2005171636.tif 000003
【図２】
2005171636.tif 000004